(57)【特許請求の範囲】
【請求項１】
誘電体層を介在させて複数の内部電極が積層された積層体と、
前記積層体の外表面にそれぞれ形成された第１の外部電極及び第２の外部電極と、
前記積層体の前記外表面に形成された第１の接続導体と、を備え、
前記複数の内部電極は、第１〜第５の内部電極を含み、
前記積層体は、
前記第１の外部電極に接続される前記第１の内部電極と前記第２の外部電極に接続される前記第２の内部電極とを有し、前記第１の内部電極と前記第２の内部電極とが前記誘電体層を介して異なる極性として対向して配置されている静電容量部と、
少なくとも前記第１の外部電極に接続される前記第３の内部電極と、少なくとも前記第２の外部電極及び前記第１の接続導体に接続される前記第４の内部電極と、少なくとも前記第１の接続導体に接続される前記第５の内部電極とを有し、前記第３の内部電極と前記第４の内部電極とが前記誘電体層を介して異なる極性として対向して配置されていないＥＳＲ制御部と、を有し、
前記静電容量部と前記ＥＳＲ制御部との境界において、前記静電容量部の前記第１の内部電極と前記ＥＳＲ制御部の前記第３の内部電極、又は、前記静電容量部の前記第２の内部電極と前記ＥＳＲ制御部の前記第４の内部電極とが、前記誘電体層を介して対向して配置されていることを特徴とする積層コンデンサ。
【請求項２】
前記積層体の前記外表面に形成された第２の接続導体を更に備え、
前記第３の内部電極は、前記第１の外部電極及び前記第２の接続導体に接続されていることを特徴とする請求項１記載の積層コンデンサ。
【請求項３】
前記複数の内部電極は、第６の内部電極を更に含み、
前記ＥＳＲ制御部は、前記第２の接続導体に接続される前記第６の内部電極を有し、
前記第１の内部電極及び前記第３の内部電極は第１の極性となり、
前記第２の内部電極及び前記第４の内部電極は第２の極性となることを特徴とする請求項２記載の積層コンデンサ。
【請求項４】
前記ＥＳＲ制御部において、
前記第４の内部電極と前記第５の内部電極又は前記第６の内部電極とが前記誘電体層を介して対向して配置され、
前記第３の内部電極と前記第５の内部電極又は前記第６の内部電極とが前記誘電体層を介して対向して配置され、
前記第５の内部電極と前記第６の内部電極とが前記誘電体層を介して対向して配置されていることを特徴とする請求項３記載の積層コンデンサ。
【請求項５】
前記ＥＳＲ制御部において、
前記第４の内部電極と前記第６の内部電極とが前記誘電体層を介して対向して配置されず、
前記第４の内部電極と前記第５の内部電極とが前記誘電体層を介して対向して配置され、
前記第３の内部電極と前記第６の内部電極とが前記誘電体層を介して対向して配置されていることを特徴とする請求項３記載の積層コンデンサ。
【請求項６】
誘電体層を介在させて複数の内部電極が積層された積層体と、
前記積層体の外表面にそれぞれ形成された第１の外部電極及び第２の外部電極と、
前記積層体の前記外表面に形成された第１の接続導体及び第２の接続導体と、を備え、
前記複数の内部電極は、第１〜第５の内部電極を含み、
前記積層体は、
前記第１の外部電極に接続される前記第１の内部電極と前記第２の外部電極に接続される前記第２の内部電極とを有し、前記第１の内部電極と前記第２の内部電極とが前記誘電体層を介して異なる極性として対向して配置されている静電容量部と、
少なくとも前記第１の外部電極に接続される前記第３の内部電極と、前記第２の外部電極、前記第１の接続導体及び前記第２の接続導体に接続される前記第４の内部電極と、前記第１の接続導体及び前記第２の接続導体に接続される前記第５の内部電極とを有するＥＳＲ制御部と、を有し、
前記ＥＳＲ制御部において、
前記第３の内部電極と前記第４の内部電極とが前記誘電体層を介して対向して配置されず、
前記第４の内部電極と前記第５の内部電極とが前記誘電体層を介して対向して配置され、
前記第３の内部電極と前記第５の内部電極とが前記誘電体層を介して対向して配置されており、
前記静電容量部と前記ＥＳＲ制御部との境界において、前記静電容量部の前記第１の内部電極又は前記第２の内部電極と、前記ＥＳＲ制御部の前記第３の内部電極又は前記第４の内部電極とは、前記誘電体層を介して異なる極性となるように対向して配置されていないことを特徴とする積層コンデンサ。
【請求項７】
前記積層体は、前記誘電体層の積層方向において前記静電容量部と前記ＥＳＲ制御部とが交互に配置されていることを特徴とする請求項１〜６のいずれか一項記載の積層コンデンサ。
【請求項８】
前記積層体は、前記積層方向における最外部に前記ＥＳＲ制御部が配置されていることを特徴とする請求項１〜７のいずれか一項記載の積層コンデンサ。
【請求項９】
前記ＥＳＲ制御部において、前記積層方向における最外部に前記第３の内部電極又は前記第４の内部電極が配置されていることを特徴とする請求項８記載の積層コンデンサ。
【請求項１０】
前記ＥＳＲ制御部の静電容量は、前記静電容量部の静電容量よりも小さいことを特徴とする請求項１〜９のいずれか一項記載の積層コンデンサ。
【請求項１１】
前記ＥＳＲ制御部の静電容量は、前記静電容量部の静電容量よりも大きいことを特徴とする請求項１〜９のいずれか一項記載の積層コンデンサ。
【請求項１２】
前記静電容量部と前記ＥＳＲ制御部との間の間隔は、前記静電容量部又は前記ＥＳＲ制御部の内部電極同士の間隔よりも大きいことを特徴とする請求項１〜１１のいずれか一項記載の積層コンデンサ。
【請求項１３】
前記第１の内部電極及び前記第２の内部電極は、蛇行形状を呈しており、電流の流れる方向が同じであることを特徴とする請求項１〜２のいずれか一項記載の積層コンデンサ。
【請求項１４】
前記積層体は、前記積層方向から見て前記静電容量部を挟むように前記ＥＳＲ制御部が配置されており、
前記第１及び第２の接続導体は、前記内部電極の引出導体に対応する位置において、前記積層方向において離間して複数形成されていることを特徴とする請求項１〜１３のいずれか一項記載の積層コンデンサ。
【発明の詳細な説明】
【技術分野】
【０００１】
本発明は、積層コンデンサに関する。
【背景技術】
【０００２】
従来、誘電体層と内部電極とを交互に積層してなる積層体と、積層体の側面において互いに電気的に絶縁された外部電極及び接続導体とを備えた積層コンデンサがある。例えば特許文献１に記載の積層コンデンサでは、３種の内部電極が設けられており、このうちの第１の内部電極は、一方の外部電極及び接続導体に接続されており、第２の内部電極は、他方の内部電極に接続されている。また、第３の内部電極は、接続導体に接続されている。このような積層コンデンサは、ＥＳＲを増加することで種々の用途に適用されている。
【先行技術文献】
【特許文献】
【０００３】
【特許文献１】特開２００３−１６８６２０号公報
【発明の概要】
【発明が解決しようとする課題】
【０００４】
上記特許文献１に記載のような積層コンデンサは、例えばＩＣ（IntegratedCircuit：集積回路）におけるデカップリングコンデンサとして用いられる。このような積層コンデンサは、ＥＳＲ（Equivalent SeriesResistance：等価直列抵抗）の制御を広周波帯域において実現することが要求されている。
【０００５】
本発明は、上記課題を解決するためになされたものであり、広周波帯域においてＥＳＲを制御することができる積層コンデンサを提供することを目的とする。
【課題を解決するための手段】
【０００６】
上記課題を解決するために、本発明に係る積層コンデンサは、誘電体層を介在させて複数の内部電極が積層された積層体と、積層体の外表面にそれぞれ形成された第１の外部電極及び第２の外部電極と、積層体の外表面に形成された第１の接続導体と、を備え、複数の内部電極は、第１〜第５の内部電極を含み、積層体は、第１の外部電極に接続される第１の内部電極と第２の外部電極に接続される第２の内部電極とを有し、第１の内部電極と第２の内部電極とが誘電体層を介して異なる極性として対向して配置されている静電容量部と、少なくとも第１の外部電極に接続される第３の内部電極と、少なくとも第２の外部電極及び第1の接続導体に接続される第４の内部電極と、少なくとも第１の接続導体に接続される第５の内部電極とを有し、第３〜第５の内部電極のうち、２つの内部電極が誘電体層を介して異なる極性として対向して配置されているＥＳＲ制御部と、を有し、静電容量部とＥＳＲ制御部との境界において、静電容量部の第１の内部電極又は第２の内部電極と、ＥＳＲ制御部の第３の内部電極又は第４の内部電極とは、誘電体層を介して異なる極性となるように対向して配置されていないことを特徴とする。
【０００７】
この積層コンデンサでは、静電容量部とＥＳＲ制御部との境界において、外部電極に接続される静電容量部の内部電極と、外部電極に接続されるＥＳＲ制御部の内部電極とが誘電体層を介して異なる極性となるように対向して配置されていない。これにより、静電容量部とＥＳＲ制御部との境界において高周波電流が通過しないため、静電容量部とＥＳＲ制御部とのコンデンサ成分を結合させずに分離させることができると共に、ＥＳＲ成分も分離させることができる。このように、静電容量部におけるＥＳＲ成分（低ＥＳＲ）とＥＳＲ制御部におけるＥＳＲ成分（高ＥＳＲ）とに分離されるため、高周波帯域側、若しくは低周波帯域側のＥＳＲを大きくすることが可能となる。したがって、広周波帯域においてＥＳＲを制御することが可能となる。
【０００８】
ＥＳＲ制御部において、第３の内部電極と第４の内部電極とが誘電体層を介して異なる極性として対向して配置されていないことが好ましい。このような構成によれば、静電容量部とＥＳＲ制御部との境界における高周波電流の通過をより抑制することができるため、コンデンサ成分及びＥＳＲ成分をより分離させることができる。
【０００９】
積層体の外表面に形成された第２の接続導体を更に備え、第３の内部電極は、第１の外部電極及び第２の接続導体に接続されている。また、複数の内部電極は、第６の内部電極を更に含み、ＥＳＲ制御部は、第２の接続導体に接続される第６の内部電極を有し、第５の内部電極は、第１の接続導体に接続されており、第１の内部電極及び第３の内部電極は第１の極性となり、第２の内部電極及び第４の内部電極は第２の極性となる。
【００１０】
静電容量部とＥＳＲ制御部との境界において、第１の内部電極と第４の内部電極とが誘電体層を介して対向して配置されず、第１の内部電極と第３、第５及び第６の内部電極のいずれかとが誘電体層を介して対向して配置され、第２の内部電極と第３の内部電極とが誘電体層を介して対向して配置されず、第２の内部電極と第４〜６の内部電極のいずれかとが誘電体層を介して対向して配置されていることが好ましい。このような構成によれば、静電容量部とＥＳＲ制御部との境界において、外部電極に接続される静電容量部の内部電極と外部電極に接続されるＥＳＲ制御部の内部電極とが、誘電体層を介して異なる極性となるように配置されない。したがって、静電容量部とＥＳＲ制御部とのコンデンサ成分及びＥＳＲ成分をより良好に分離させることができる。
【００１１】
ＥＳＲ制御部において、第３の内部電極と第４の内部電極とが誘電体層を介して対向して配置されず、第４の内部電極と第５の内部電極又は第６の内部電極とが誘電体層を介して対向して配置され、第３の内部電極と第５の内部電極又は第６の内部電極とが誘電体層を介して対向して配置され、第５の内部電極と第６の内部電極とが誘電体層を介して対向して配置されていることが好ましい。このような構成によれば、静電容量部とＥＳＲ制御部との境界における高周波電流の通過をより抑制することができ、コンデンサ成分及びＥＳＲ成分をより確実に分離させることができる。
【００１２】
ＥＳＲ制御部において、第４の内部電極と第６の内部電極とが誘電体層を介して対向して配置されず、第４の内部電極と第５の内部電極とが誘電体層を介して対向して配置され、第３の内部電極と第４の内部電極とが誘電体層を介して対向して配置されず、第３の内部電極と第６の内部電極とが誘電体層を介して対向して配置されていることが好ましい。このような構成によれば、外部電極及び接続導体に接続される内部電極同士が対向しないため、静電容量部とＥＳＲ制御部との境界における高周波電流の通過をより抑制することができ、コンデンサ成分及びＥＳＲ成分をより確実に分離させることができる。
【００１３】
静電容量部とＥＳＲ制御部との境界において、第１の内部電極と第６の内部電極とが誘電体層を介して対向して配置され、第２の内部電極と第５の内部電極とが誘電体層を介して対向して配置されていることが好ましい。このような構成によれば、静電容量部とＥＳＲ制御部との境界において対向する内部電極が異なる極性となるため、積層コンデンサの静電容量を大きくすることができる。
【００１４】
積層体の外表面に形成された第２の接続導体を更に備え、第４の内部電極は、第２の外部電極、第１の接続導体及び第２の接続導体に接続されており、第５の内部電極は、第１の接続導体及び第２の接続導体に接続されている。
【００１５】
ＥＳＲ制御部において、第３の内部電極と第４の内部電極とが誘電体層を介して対向して配置されず、第４の内部電極と第５の内部電極とが誘電体層を介して対向して配置され、第３の内部電極と第５の内部電極とが前記誘電体層を介して対向して配置されていることが好ましい。このような構成によれば、外部電極及び接続導体に接続される内部電極同士が対向しないため、静電容量部とＥＳＲ制御部との境界における高周波電流の通過をより抑制することができ、コンデンサ成分及びＥＳＲ成分をより確実に分離させることができる。
【００１６】
積層体は、誘電体層の積層方向において静電容量部とＥＳＲ制御部とが交互に配置されていることが好ましい。このような構成によれば、積層コンデンサの実装方向が一方向に定められないため、実装基板に効率よく実装することができ、作業性の向上を図ることができる。
【００１７】
積層体は、積層方向における最外部にＥＳＲ制御部が配置されていることが好ましい。この場合には、ＥＳＬ（Equivalent Series Inductance：等価直列インダクタンス）を低くすることができる。
【００１８】
ＥＳＲ制御部において、積層方向における最外部に第３の内部電極又は第４の内部電極が配置されていることが好ましい。この場合には、より一層ＥＳＬを低くすることができる。
【００１９】
ＥＳＲ制御部の静電容量は、静電容量部の静電容量よりも小さいことが好ましい。この場合には、高周波帯域におけるＥＳＲを高くすることができる。
【００２０】
ＥＳＲ制御部の静電容量は、静電容量部の静電容量よりも大きいことが好ましい。この場合には、低周波帯域におけるＥＳＲを高くすることができる。
【００２１】
静電容量部とＥＳＲ制御部との間の間隔は、静電容量部又はＥＳＲ制御部の内部電極同士の間隔よりも大きいことが好ましい。このような構成によれば、静電容量部とＥＳＲ制御部との２つのコンデンサ成分をより一層分離することができる。
【００２２】
第１の内部電極及び第２の内部電極は、蛇行形状を呈しており、電流の流れる方向が同じであることが好ましい。この場合には、静電容量部における第１及び第２の内部電極を流れる電流の方向がより同方向となるため、静電容量部におけるＥＳＬを大きくすることができる。
【００２３】
第１及び第２の接続導体は、内部電極の引出導体に対応する位置において、積層方向において離間して複数形成されていることが好ましい。このような構成によれば、例えばＥＳＲ制御部が静電容量部を挟んで配置されている場合などにおいて、ＥＳＲ制御部のコンデンサ成分を分離させることができる。
【００２４】
また、本発明に係る積層コンデンサは、誘電体層を介在させて複数の内部電極が積層された積層体と、積層体の外表面にそれぞれ形成された第１の外部電極及び第２の外部電極と、積層体の外表面に形成された第１の接続導体と、を備え、複数の内部電極は、第１〜第５の内部電極を含み、積層体は、第１の外部電極に接続される第１の内部電極と第２の外部電極に接続される第２の内部電極とを有し、第１の内部電極と第２の内部電極とが誘電体層を介して異なる極性として対向して配置されている静電容量部と、少なくとも第１の外部電極に接続される第３の内部電極と、少なくとも第２の外部電極及び第1の接続導体に接続される第４の内部電極と、少なくとも第１の接続導体に接続される第５の内部電極とを有し、第３〜第５の内部電極のうち、２つの内部電極が誘電体層を介して異なる極性として対向して配置されているＥＳＲ制御部と、を有し、静電容量部とＥＳＲ制御部との境界において、静電容量部の第１の内部電極又は第２の内部電極と、ＥＳＲ制御部の第３の内部電極又は第４の内部電極とが誘電体層を介して同じ極性となるように配置、もしくは、静電容量部の第１の内部電極又は第２の内部電極と、ＥＳＲ制御部の第５の内部電極とが誘電体層を介して対向して配置されていることを特徴とする。
【００２５】
静電容量部とＥＳＲ制御部との境界において、静電容量部の第２の内部電極と、ＥＳＲ制御部の第５の内部電極とが誘電体層を介して対向して配置されていることが好ましい。
【００２６】
ＥＳＲ制御部において、第３の内部電極と第５の内部電極とが誘電体層を介して異なる極性として対向して配置、もしくは、第４の内部電極と第５の内部電極とが誘電体層を介して同じ極性として対向して配置されていることが好ましい。
【００２７】
積層体の外表面に形成された第２の接続導体を更に備え、第３の内部電極は、第１の外部電極及び第２の接続導体に接続されている。または、積層体の外表面に形成された第２の接続導体を更に備え、第４の内部電極は、第２の外部電極、第１の接続導体及び第２の接続導体に接続されており、第５の内部電極は、第１の接続導体及び第２の接続導体に接続されている。
【発明の効果】
【００２８】
本発明によれば、広周波帯域においてＥＳＲを制御することができる。
【図面の簡単な説明】
【００２９】
【図１】第１実施形態に係る積層コンデンサを示す斜視図である。
【図２】図１に示した積層コンデンサの層構成を示す図である。
【図３】図１に示した積層コンデンサのＩＩＩ−ＩＩＩ線断面図である。
【図４】静電容量部及びＥＳＲ制御部のＥＳＲ特性を示す図である。
【図５】積層コンデンサの回路及びＥＳＲ特性を示す図である。
【図６】第２実施形態に係る積層コンデンサの層構成を示す図である。
【図７】第３実施形態に係る積層コンデンサの層構成を示す図である。
【図８】第４実施形態に係る積層コンデンサの層構成を示す図である。
【図９】第５実施形態に係る積層コンデンサの層構成を示す図である。
【図１０】図９に示す積層コンデンサのインピーダンス特性を示す図である。
【図１１】内部電極を示す図である。
【図１２】第６実施形態に係る積層コンデンサの層構成を示す図である。
【図１３】第７実施形態に係る積層コンデンサの層構成を示す図である。
【図１４】他の形態の積層コンデンサを示す斜視図である。
【図１５】図１２に示す積層コンデンサの回路を示す図である。
【図１６】他の形態の積層コンデンサを示す斜視図である。
【図１７】図１４に示す積層コンデンサの回路を示す図である。
【発明を実施するための形態】
【００３０】
以下、添付図面を参照して、本発明の好適な実施形態について詳細に説明する。なお、説明において、同一要素又は同一機能を有する要素には、同一符号を用いることとし、重複する説明は省略する。
【００３１】
［第１実施形態］
図１は、第１実施形態に係る積層コンデンサを示す斜視図である。また、図２は、図１に示した積層コンデンサの層構成を示す図であり、図３は、図１に示した積層コンデンサのＩＩＩ−ＩＩＩ線断面図である。
【００３２】
図１に示すように、積層コンデンサ１は、略直方体形状の積層体２と、外部電極３，４と、接続導体５，６とを備えている。
【００３３】
積層体２は、互いに対向する一対の端面（外表面）２ａ，２ｂと、一対の端面２ａ，２ｂ間を連結するように伸び且つ互いに対向する一対の側面（外表面）２ｃ，２ｄと、一対の側面２ｃ，２ｄを連結するように伸び且つ互いに対向する一対の主面２ｅ，２ｆとを有する。積層体２は、図２に示すように、誘電体層７の上に異なるパターンの内部電極８ａ〜８ｆが形成されてなる複数の複合層９ａ〜９ｆと、複合層９ａ〜９ｆの最表層に積層され、保護層として機能する誘電体層７とによって形成されている。誘電体層７は、誘電体セラミックを含むセラミックグリーンシートの焼結体からなり、内部電極８ａ〜８ｆは、導電性ペーストの焼結体からなる。なお、実際の積層コンデンサ１では、誘電体層７間の境界が視認できない程度に一体化されている。
【００３４】
外部電極３，４及び接続導体５，６は、導電性金属粉末及びガラスフリットを含む導電性ペーストを焼き付けることによって形成されている。外部電極３，４は、積層コンデンサ１の実装の際に、所定の極性となる電極である。また、接続導体５，６は、積層体２における後述のＥＳＲ制御部１１Ａ，１１Ｂに属する内部電極８同士を並列に接続する導体であり、実装基板に直接接続されない導体である。
【００３５】
外部電極（第１の外部電極）３は、積層コンデンサ１の基板実装の際に例えば−極性（第１の極性）に接続される電極であり、積層体２における長手方向の一端面２ａを覆うように形成されている。外部電極（第２の外部電極）４は、積層コンデンサ１の基板実装の際に例えば＋極性（第２の極性）に接続される電極であり、積層体２における長手方向の他端面２ｂを覆うように形成されている。
【００３６】
接続導体５は、積層体２の一端面２ａ及び他端面２ｂと直交する側面２ｃ，２ｄのうち、積層方向に沿う一方の側面２ｃに形成され、接続導体６は、側面２ｃと対向する他方の側面２ｄに形成されている。接続導体５，６は、側面２ｃ，２ｄにおいて上述の積層方向に帯状に延在すると共に、積層体２の主面２ｅ，２ｆに張り出すパッド部分を有している。外部電極３，４及び接続導体５，６は、所定の間隔をあけて離間した状態となっており、互いに電気的に絶縁されている。
【００３７】
積層コンデンサ１の実装に用いる基板１００は、陽極ランドパターン１０１と、陰極ランドパターン１０２とを有している。陽極ランドパターン１０１及び陰極ランドパターン１０２は、例えば外部電極３及び外部電極４の幅方向に沿って帯状に形成され、所定の回路配線に接続されている。
【００３８】
積層コンデンサ１の実装構造において、外部電極３は、陰極ランドパターン１０２に接合され、外部電極４は、陽極ランドパターン１０１に接合される。また、接続導体５及び接続導体６は、陽極ランドパターン１０１及び陰極ランドパターン１０２のいずれにも接合されない。すなわち、積層コンデンサ１の実装構造では、外部電極３及び外部電極４のみが基板１００に対して接合された状態となる。
【００３９】
次に、積層体２の構成について更に詳細に説明する。
【００４０】
図２及び図３に示すように、積層体２は、積層コンデンサの静電容量に主として寄与する静電容量部１０と、積層コンデンサ１のＥＳＲ（Equivalent Series Resistance：等価直列抵抗）を制御するＥＳＲ制御部１１Ａ，１１Ｂとを有している。積層体２では、積層方向（図示上下方向）から見て静電容量部１０を挟むようにＥＳＲ制御部１１Ａ，１１Ｂが配置されている。つまり、積層体２は、ＥＳＲ制御部１１Ａ、静電容量部１０、ＥＳＲ制御部１１Ｂがこの順に配置されて構成されている。
【００４１】
静電容量部１０は、異なる２つの内部電極を有する複合層９ａ，９ｂが交互に複数積層されて構成されている。複合層９ａは、誘電体層７上に内部電極（第１の内部電極）８ａが形成されている。内部電極８ａは、矩形状を呈しており、その一端部は、積層体２の端面２ａに露出し、外部電極３に接続されている。内部電極８ａは、−極性となる。
【００４２】
複合層９ｂは、誘電体層７上に内部電極（第２の内部電極）８ｂが形成されている。内部電極８ｂは、矩形状を呈しており、その一端部は、積層体２の端面２ｂに露出し、外部電極４に接続されている。内部電極８ｂは、＋極性となる。静電容量部１０は、内部電極８ａと内部電極８ｂとが誘電体層７を介して異なる極性として対向して配置されている。なお、図２においては、複合層９ａ及び複合層９ｂをそれぞれ４層しか図示していないが、複合層９ａ及び複合層９ｂの積層数は、コンデンサの設計に合わせて適宜設定される。
【００４３】
ＥＳＲ制御部１１Ａ，１１Ｂは、４つの複合層９ｃ〜９ｆによって構成されている。複合層９ｃは、誘電体層７上に内部電極（第３の内部電極）８ｃが形成されている。内部電極８ｃは、中央部分に形成された矩形状の主電極部８ｃＡと、主電極部８ｃＡの一辺から引き出された帯状の引出導体８ｃＢとを有している。主電極部８ｃＡの一端部は、積層体２の端面２ａに露出し、外部電極３に接続されている。引出導体８ｃＢの端部は、積層体２の側面２ｄに露出し、接続導体６に接続されている。内部電極８ｃは、−極性となる。
【００４４】
複合層９ｄは、誘電体層７上に内部電極（第６の内部電極）８ｄが形成されている。内部電極８ｄは、中央部分に形成された矩形状の主電極部８ｄＡと、主電極部８ｄＡの一辺から引き出された帯状の引出導体８ｄＢとを有している。引出導体８ｄＢの端部は、引出導体８ｃＢとは反対に積層体２の側面２ｃに露出し、接続導体５に接続されている。
【００４５】
複合層９ｅは、誘電体層７上に内部電極（第５の内部電極）８ｅが形成されている。内部電極８ｅは、中央部分に形成された矩形状の主電極部８ｅＡと、主電極部８ｅＡの一辺から引き出された帯状の引出導体８ｅＢとを有している。引出導体８ｅＢの端部は、積層体２の側面２ｄに露出し、接続導体６に接続されている。
【００４６】
複合層９ｆは、誘電体層７上に内部電極（第４の内部電極）８ｆが形成されている。内部電極８ｆは、中央部分に形成された矩形状の主電極部８ｆＡと、主電極部８ｆＡの一辺から引き出された帯状の引出導体８ｆＢとを有している。主電極部８ｆＡの一端部は、内部電極８ｃとは反対に積層体２の端面２ｂに露出し、外部電極４に接続されている。引出導体８ｆＢの端部は、積層体２の側面２ｃに露出し、接続導体５に接続されている。内部電極８ｆは、＋極性となる。
【００４７】
ＥＳＲ制御部１１Ａは、内部電極８ｃが形成された複合層９ｃ、内部電極８ｄが形成された複合層９ｄ、内部電極８ｅが形成された複合層９ｅ、内部電極８ｆが形成された複合層９ｆ、内部電極８ｅが形成された複合層９ｅ、及び内部電極８ｄが形成された複合層９ｄがこの順に積層されている。複合層９ｅの内部電極８ｅは、接続導体６及び内部電極８ｃを介して外部電極３に接続され、内部電極８ｃと同じ−極性となる。複合層９ｄの内部電極８ｄは、接続導体５及び内部電極８ｆを介して外部電極４に接続され、内部電極８ｆと同じ＋極性となる。つまり、誘電体層７を介して対向する内部電極８ｃ，８ｅと内部電極８ｄ，８ｆとは、異極性となる。ＥＳＲ制御部１１Ａの最上部（最外部）には、内部電極８ｃが配置されている。
【００４８】
また、ＥＳＲ制御部１１Ｂは、内部電極８ｅが形成された複合層９ｅ、内部電極８ｄが形成された複合層９ｄ、内部電極８ｃが形成された複合層９ｃ、内部電極８ｄが形成された複合層９ｄ、内部電極８ｅが形成された複合層９ｅ、内部電極８ｆが形成された複合層９ｆがこの順に積層されている。複合層９ｅの内部電極８ｅは、接続導体６及び内部電極８ｃを介して外部電極３に接続され、内部電極８ｃと同じ−極性となる。複合層９ｄの内部電極８ｄは、接続導体５及び内部電極８ｆを介して外部電極４に接続され、内部電極８ｆと同じ＋極性となる。つまり、誘電体層７を介して対向する内部電極８ｃ，８ｅと内部電極８ｄ，８ｆとは、異極性となる。ＥＳＲ制御部１１Ｂの最下部（最外部）には、内部電極８ｆが配置されている。
【００４９】
ＥＳＲ制御部１１Ａ，１１Ｂにおいては、内部電極８ｃと内部電極８ｆとが誘電体層７を介して対向して配置されないように構成されている。つまり、ＥＳＲ制御部１１Ａ，１１Ｂでは、外部電極３，４にそれぞれ接続される主電極部８ｃＡ，８ｆＡを有する内部電極８ｃ，８ｆが誘電体層７を介して対向して配置されない構成となっている。
【００５０】
積層体２では、静電容量部１０とＥＳＲ制御部１１Ａ，１１Ｂとの境界において、複合層９ｄの内部電極８ｄと複合層９ａの内部電極８ａとが誘電体層７を介して対向して配置されていると共に、複合層９ｂの内部電極８ｂと複合層９ｅの内部電極８ｅとが誘電体層７を介して対向して配置されている。具体的には、外部電極３に接続されて−極性となる複合層９ａの内部電極８ａと、接続導体５を介して＋極性となる複合層９ｄの内部電極８ｄとが誘電体層７を介して対向して配置されている。また、外部電極４に接続されて＋極性となる複合層９ｂの内部電極８ｂと、接続導体６を介して−極性となる複合層９ｅの内部電極８ｅとが誘電体層７を介して対向して配置されている。
【００５１】
すなわち、積層体２では、静電容量部１０とＥＳＲ制御部１１Ａ，１１Ｂとの境界において、外部電極３に接続される内部電極８ａ，８ｃと外部電極４に接続される内部電極８ｂ，８ｆとが誘電体層７を介して異なる極性となるように配置されていない構成となっている。具体的には、積層体２では、静電容量部１０とＥＳＲ制御部１１Ａ，１１Ｂとの境界において、内部電極８ａと内部電極８ｆとが対向して配置されていないと共に、内部電極８ｂと内部電極８ｃとが対向して配置されていない。
【００５２】
また、図２，３に示すように、積層体２では、静電容量部１０とＥＳＲ制御部１１Ａ，１１Ｂとの間の間隔Ｗ０は、静電容量部１０及びＥＳＲ制御部１１Ａ，１１Ｂにおける内部電極同士の間の間隔Ｗ１と等間隔となっている。
【００５３】
上述の構成を有する積層コンデンサ１は、静電容量部１０とＥＳＲ制御部１１Ａ，１１Ｂとの境界において、内部電極８ａと内部電極８ｄ、内部電極８ｂと内部電極８ｅとが対向して配置されている。そのため、積層コンデンサ１は、基板１００に実装されて電流が流れた際、静電容量部１０とＥＳＲ制御部１１Ａ，１１Ｂとの境界、つまり複合層９ａと複合層９ｄ、複合層９ｂと複合層９ｅとの間において、高周波電流が通過しない構成となっている。
【００５４】
続いて、積層コンデンサ１の特性について説明する。図４は、静電容量部及びＥＳＲ制御部のＥＳＲ特性を示す図である。図４（ａ）は、静電容量部１０のＥＳＲ特性を示しており、図４（ｂ）は、ＥＳＲ制御部１１Ａ，１１ＢのＥＳＲ特性を示している。縦軸はＥＳＲ［Ω］、横軸は周波数［Ｈｚ］を表している。図４（ａ）及び図４（ｂ）に示すように、静電容量部１０は、ＥＳＲ制御部１１Ａ，１１Ｂに比べてＥＳＲが低く、言い換えれば、ＥＳＲ制御部１１Ａ，１１Ｂは、静電容量部１０に比べてＥＳＲが高い特性となっている。
【００５５】
図５は、積層コンデンサの回路及びＥＳＲ特性を示す図である。積層コンデンサ１は、図５（ａ）に示すように、静電容量部１０とＥＳＲ制御部１１Ａ，１１Ｂとのコンデンサ成分（Ｃ０，Ｃ１）が分離された回路となっている。また、積層コンデンサ１は、ＥＳＲ成分が分離された構成となっている。このような積層コンデンサ１では、図５（ｂ）に示すように、静電容量部１０の静電容量Ｃ０をＥＳＲ制御部１１Ａ，１１Ｂの静電容量Ｃ１よりも十分に大きく設定した（Ｃ０≫Ｃ１）場合には、低周波帯域において低ＥＳＲとなり、高周波帯域において高ＥＳＲとなる。また、図５（ｃ）に示すように、静電容量部１０の静電容量Ｃ０をＥＳＲ制御部１１Ａ，１１Ｂの静電容量Ｃ１よりも十分に小さく（Ｃ０≪Ｃ１）設定した場合には、低周波帯域において高ＥＳＲとなり、高周波帯域において低ＥＳＲとなる。静電容量部１０の静電容量Ｃ０とＥＳＲ制御部１１Ａ，１１Ｂの静電容量Ｃ１とは、信号（ノイズ）の性質等によって適宜設定される。
【００５６】
以上説明したように、積層コンデンサ１は、静電容量部１０とＥＳＲ制御部１１Ａ，１１Ｂとの境界において、外部電極３，４に接続される静電容量部１０の内部電極８ａ，８ｂと、外部電極３，４に接続されるＥＳＲ制御部１１Ａ，１１Ｂの内部電極８ｃ，８ｆとが誘電体層７を介して異なる極性となるように配置されていない。これにより、静電容量部１０とＥＳＲ制御部１１Ａ，１１Ｂとの境界において高周波電流が通過しないため、静電容量部１０とＥＳＲ制御部１１Ａ，１１Ｂとのコンデンサ成分を結合させずに分離させることができると共に、ＥＳＲ成分も分離させることができる。このように、積層コンデンサ１では、静電容量部１０におけるＥＳＲ成分（低ＥＳＲ）とＥＳＲ制御部１１Ａ，１１ＢにおけるＥＳＲ成分（高ＥＳＲ）とに分離されるため、高周波帯域側、若しくは低周波帯域側のＥＳＲを大きくすることができる。したがって、広周波帯域においてＥＳＲを制御することができる。
【００５７】
また、積層コンデンサ１では、静電容量部１０とＥＳＲ制御部１１Ａ，１１Ｂとの境界において、複合層９ｄの内部電極８ｄと複合層９ａの内部電極８ａとが誘電体層７を介して対向して配置され、複合層９ｂの内部電極８ｂと複合層９ｅの内部電極８ｅとが誘電体層７を介して対向して配置されている。このように、隣接する内部電極が異極性となるため、静電容量を大きくすることができる。
【００５８】
また、積層体２は、積層方向において静電容量部１０を挟むようにＥＳＲ制御部１１Ａ，１１Ｂが配置されている。これにより、積層コンデンサ１の実装方向性がなくなり、上下どちらに実装しても電気的特性が変わらなくなり、実装方向による特性のばらつきを防止できる。さらに、ＥＳＲ制御部１１Ａ，１１Ｂが上下に配置されており、その最上部に外部電極３に接続される内部電極８ｃ、最下部に外部電極４に接続される内部電極８ｆが配置されているため、ＥＳＬ（Equivalent Series Inductance：等価直列インダクタンス）を低くすることができる。
【００５９】
また、積層体２では、静電容量部１０とＥＳＲ制御部１１Ａ，１１Ｂとの間の間隔Ｗ０は、静電容量部１０及びＥＳＲ制御部１１Ａ，１１Ｂにおける内部電極同士の間の間隔Ｗ１よりも大きくしてもよい。このような構成により、積層コンデンサ１では、静電容量部１０とＥＳＲ制御部１１Ａ，１１Ｂとのコンデンサ成分（Ｃ０，Ｃ１）、及びＥＳＲ成分の分離をより一層図ることができる。
【００６０】
［第２実施形態］
続いて、第２実施形態について説明する。図６は、第２実施形態に係る積層コンデンサの層構成を示す図である。図６に示すように、積層コンデンサ１Ａは、複合層９ａ〜９ｆの積層構成が第１実施形態と異なっており、外部電極３，４、接続導体５，６及び複合層９ａ〜９ｆの構成は第１実施形態と同様である。
【００６１】
図６に示すように、積層コンデンサ１Ａの積層体２Ａでは、積層方向から見てＥＳＲ制御部２０Ａ，２０Ｂが静電容量部１０を挟むように配置されている。つまり、積層体２Ａは、ＥＳＲ制御部２０Ａ、静電容量部１０、ＥＳＲ制御部２０Ｂがこの順番に配置されて構成されている。静電容量部１０は、複合層９ａ，９ｂが交互に複数積層されて構成されており、内部電極８ａと内部電極８ｂとが誘電体層７を介して異なる極性として対向して配置されている。なお、図６においては、複合層９ａ及び複合層９ｂをそれぞれ２層しか図示していないが、複合層９ａ及び複合層９ｂの積層数は、設計に合わせて適宜設定される。
【００６２】
ＥＳＲ制御部２０Ａ，２０Ｂのぞれぞれは、内部電極８ｆが形成された複合層９ｆ、内部電極８ｄが形成された複合層９ｄ、内部電極８ｅが形成された複合層９ｅ、内部電極８ｄが形成された複合層９ｄ、内部電極８ｅが形成された複合層９ｅ、内部電極８ｄが形成された複合層９ｄ、内部電極８ｅが形成された複合層９ｅ、及び内部電極８ｃが形成された複合層９ｃがこの順に積層されて構成されている。ＥＳＲ制御部２０Ａの最上部には、内部電極８ｆが配置されており、ＥＳＲ制御部２０Ｂの最下部には、内部電極８ｃが配置されている。
【００６３】
積層体２Ａでは、静電容量部１０とＥＳＲ制御部２０Ａ，２０Ｂとの境界において、外部電極３，４に接続される内部電極８ａ，８ｂと外部電極３，４に接続される内部電極８ｃ，８ｆとが誘電体層７を介して異なる極性となるように配置されていない構成となっている。言い換えれば、積層体２Ａでは、外部電極３，４に接続される内部電極８ａ，８ｂと外部電極３，４に接続される内部電極８ｃ，８ｆとが誘電体層７を介して同極性となるように配置されている。
【００６４】
具体的には、外部電極３に接続される複合層９ａの内部電極８ａと、外部電極３に接続される複合層９ｃの内部電極８ｃとは、いずれも−極性となり、静電容量部１０とＥＳＲ制御部２０Ａとの境界において、誘電体層７を介して対向して配置されている。また、外部電極４に接続される複合層９ｂの内部電極８ｂと、外部電極４に接続される複合層９ｆの内部電極８ｆとは、いずれも＋極性となり、静電容量部１０とＥＳＲ制御部２０Ｂとの境界において、誘電体層７を介して対向して配置されている。
【００６５】
上述の構成を有する積層コンデンサ１Ａは、静電容量部１０とＥＳＲ制御部２０Ａ，２０Ｂとの境界において、内部電極８ａと内部電極８ｃ、内部電極８ｂと内部電極８ｆとが対向して配置されている。そのため、積層コンデンサ１Ａは、基板１００に実装されて電流が流れた際、静電容量部１０とＥＳＲ制御部２０Ａ，２０Ｂとの境界、つまり複合層９ｃと複合層９ａ、複合層９ｂと複合層９ｆとの間において、高周波電流が通過しない構成となっている。
【００６６】
以上説明したように、積層コンデンサ１Ａは、第１実施形態と同様に、静電容量部１０とＥＳＲ制御部２０Ａ，２０Ｂとの境界において、外部電極３，４に接続される静電容量部１０の内部電極８ａ，８ｂと、外部電極３，４に接続されるＥＳＲ制御部２０Ａ，２０Ｂの内部電極８ｃ，８ｆとが誘電体層７を介して異なる極性となるように配置されていない。つまり、同極性（−極性）となる内部電極８ａと内部電極８ｃとが誘電体層７を介して対向して配置されていると共に、同極性（＋極性）となる内部電極８ｂと内部電極８ｆとが誘電体層７を介して対向して配置されている。
【００６７】
これにより、静電容量部１０とＥＳＲ制御部２０Ａ，２０Ｂとの境界において高周波電流が通過しないため、静電容量部１０とＥＳＲ制御部２０Ａ，２０Ｂとのコンデンサ成分を結合させずに分離させることができると共に、ＥＳＲ成分も分離させることができる。このように、積層コンデンサ１Ａでは、静電容量部１０におけるＥＳＲ成分（低ＥＳＲ）とＥＳＲ制御部２０Ａ，２０ＢにおけるＥＳＲ成分（高ＥＳＲ）とに分離されるため、高周波帯域側、若しくは低周波帯域側のＥＳＲを大きくすることが可能となる。したがって、広周波帯域においてＥＳＲを制御することが可能となる。
【００６８】
また、積層体２は、ＥＳＲ制御部２０Ａ，２０Ｂにおいて、複合層９ｄの内部電極８ｄと複合層９ｆの内部電極８ｆとが対向して配置されていると共に、複合層９ｃの内部電極８ｃと複合層９ｅの内部電極８ｅとが対向して配置されている。このように、外部電極３，４及び接続導体５，６に接続される異極性の内部電極同士が隣接しないため、高周波電流の通過をより抑制することができる。
【００６９】
［第３実施形態］
続いて、第３実施形態について説明する。図７は、第３実施形態に係る積層コンデンサの層構成を示す図である。図７に示すように、積層コンデンサ１Ｂは、複合層９ａ〜９ｆの積層構成が第１実施形態と異なっており、外部電極３，４、接続導体５，６及び複合層９ａ〜９ｆの構成は第１実施形態と同様である。
【００７０】
図７に示すように、積層コンデンサ１Ｂの積層体２Ｂでは、積層方向から見て静電容量部１０Ａ，１０ＢがＥＳＲ制御部３０を挟むように配置されている。つまり、積層体２Ｂは、静電容量部１０Ａ、ＥＳＲ制御部３０、静電容量部１０Ｂがこの順番に配置されて構成されている。静電容量部１０Ａ，１０Ｂは、複合層９ａ，９ｂが交互に複数積層されて構成されており、内部電極８ａと内部電極８ｂとが誘電体層７を介して異なる極性として対向して配置されている。なお、図７においては、複合層９ａ及び複合層９ｂをそれぞれ４層しか図示していないが、複合層９ａ及び複合層９ｂの積層数は、設計に合わせて適宜設定される。
【００７１】
ＥＳＲ制御部３０は、内部電極８ｅが形成された複合層９ｅ、内部電極８ｄが形成された複合層９ｄ、内部電極８ｃが形成された複合層９ｃ、内部電極８ｄが形成された複合層９ｄ、内部電極８ｅが形成された複合層９ｅ、内部電極８ｆが形成された複合層９ｆ、内部電極８ｅが形成された複合層９ｅ、内部電極８ｄが形成された複合層９ｄがこの順に積層されて構成されている。複合層９ｅの内部電極８ｅは、接続導体６及び内部電極８ｃを介して外部電極３に接続されるため、内部電極８ｃと同じ−極性となる。複合層９ｄの内部電極８ｄは、接続導体５及び内部電極８ｆを介して外部電極４に接続されるため、内部電極８ｆと同じ＋極性となる。つまり、誘電体層７を介して対向する内部電極８ｃ，８ｅと内部電極８ｄ，８ｆとは、異極性となる。
【００７２】
積層体２Ｂでは、静電容量部１０Ａ，１０ＢとＥＳＲ制御部３０との境界において、複合層９ｂの内部電極８ｂと複合層９ｅの内部電極８ｅとが誘電体層７を介して対向して配置されていると共に、複合層９ｄの内部電極８ｄと複合層９ａの内部電極８ａとが誘電体層７を介して対向して配置されている。具体的には、外部電極４に接続されて＋極性となる複合層９ｂの内部電極８ｂと、接続導体６を介して−極性となる複合層９ｅの内部電極８ｅとが誘電体層７を介して対向して配置されている。また、接続導体５を介して＋極性となる複合層９ｄの内部電極８ｄと、外部電極３に接続されて−極性となる複合層９ａの内部電極８ａとが誘電体層７を介して対向して配置されている。
【００７３】
すなわち、積層体２Ｂでは、静電容量部１０Ａ，１０ＢとＥＳＲ制御部３０との境界において、外部電極３に接続される内部電極８ａ，８ｃと外部電極４に接続される内部電極８ｂ，８ｆとが誘電体層７を介して異なる極性となるように配置されていない構成となっている。具体的には、積層体２Ｂでは、静電容量部１０Ａ，１０ＢとＥＳＲ制御部３０との境界において、内部電極８ａと内部電極８ｆとが対向して配置されていないと共に、内部電極８ｂと内部電極８ｃとが対向して配置されていない。
【００７４】
上述の構成を有する積層コンデンサ１Ｂは、静電容量部１０Ａ，１０ＢとＥＳＲ制御部３０との境界において、内部電極８ａと内部電極８ｄ、内部電極８ｂと内部電極８ｅとが対向して配置されている。そのため、積層コンデンサ１Ｂは、基板１００に実装されて電流が流れた際、静電容量部１０Ａ，１０ＢとＥＳＲ制御部３０との境界、つまり複合層９ｂと複合層９ｅ、複合層９ｄと複合層９ａとの間において、高周波電流が通過しない構成となっている。
【００７５】
以上説明したように、積層コンデンサ１Ｂは、第１実施形態と同様に、静電容量部１０Ａ，１０ＢとＥＳＲ制御部３０との境界において、外部電極３，４に接続される静電容量部１０Ａ，１０Ｂの内部電極８ａ，８ｂと、外部電極３，４に接続されるＥＳＲ制御部３０の内部電極８ｃ，８ｆとが誘電体層７を介して異なる極性となるように配置されていない。これにより、静電容量部１０Ａ，１０ＢとＥＳＲ制御部３０との境界において高周波電流が通過しないため、静電容量部１０Ａ，１０ＢとＥＳＲ制御部３０とのコンデンサ成分を結合させずに分離させることができると共に、ＥＳＲ成分も分離させることができる。このように、積層コンデンサ１Ｂでは、静電容量部１０Ａ，１０ＢにおけるＥＳＲ成分（低ＥＳＲ）とＥＳＲ制御部３０におけるＥＳＲ成分（高ＥＳＲ）とに分離されるため、高周波帯域側、若しくは低周波帯域側のＥＳＲを大きくすることが可能となる。したがって、広周波帯域においてＥＳＲを制御することが可能となる。
【００７６】
［第４実施形態］
続いて、第４実施形態について説明する。図８は、第４実施形態に係る積層コンデンサの層構成を示す図である。図８に示すように、積層コンデンサ１Ｃは、複合層９ａ〜９ｆの積層構成が第１実施形態と異なっており、外部電極３，４、接続導体５，６及び複合層９ａ〜９ｆの構成は第１実施形態と同様である。
【００７７】
図８に示すように、積層コンデンサ１Ｃの積層体２Ｃは、ＥＳＲ制御部５０Ａ、静電容量部４０Ａ、ＥＳＲ制御部５０Ｂ、静電容量部４０Ｂ、ＥＳＲ制御部５０Ｃがこの順に配置されて構成されている。静電容量部４０Ａ，４０Ｂは、複合層９ａ，９ｂが交互に複数積層されて構成されており、内部電極８ａと内部電極８ｂとが誘電体層７を介して異なる極性として対向して配置されている。なお、図８においては、複合層９ａ及び複合層９ｂをそれぞれ４層しか図示していないが、複合層９ａ及び複合層９ｂの積層数は、設計に合わせて適宜設定される。
【００７８】
ＥＳＲ制御部５０Ａ、５０Ｃは、内部電極８ｆが形成された複合層９ｆ、内部電極８ｄが形成された複合層９ｄ、内部電極８ｅが形成された複合層９ｅ、内部電極８ｄが形成された複合層９ｄ、内部電極８ｅが形成された複合層９ｅ、内部電極８ｃが形成された複合層９ｃがこの順に積層されて構成されている。複合層９ｅの内部電極８ｅは、接続導体６及び内部電極８ｃを介して外部電極３に接続されるため、内部電極８ｃと同じ−極性となる。複合層９ｄの内部電極８ｄは、接続導体５及び内部電極８ｆを介して外部電極４に接続されるため、内部電極８ｆと同じ＋極性となる。
【００７９】
ＥＳＲ制御部５０Ｂは、内部電極８ｆが形成された複合層９ｆ、内部電極８ｄが形成された複合層９ｄ、内部電極８ｅが形成された複合層９ｅ、内部電極８ｄが形成された複合層９ｄ、内部電極８ｅが形成された複合層９ｅ、内部電極８ｄが形成された複合層９ｄ、内部電極８ｅが形成された複合層９ｅ、内部電極８ｃが形成された複合層９ｃがこの順に積層されて構成されている。複合層９ｅの内部電極８ｅは、接続導体６及び内部電極８ｃを介して外部電極３に接続されるため、内部電極８ｃと同じ−極性となり、複合層９ｄの内部電極８ｄは、接続導体５及び内部電極８ｆを介して外部電極４に接続されるため、内部電極８ｆと同じ＋極性となる。
【００８０】
積層体２Ｃでは、静電容量部４０Ａ，４０ＢとＥＳＲ制御部５０Ａ〜５０Ｃとの境界において、外部電極３，４に接続される内部電極８ａ，８ｂと外部電極３，４に接続される内部電極８ｃ，８ｆとが誘電体層７を介して異なる極性となるように配置されていない構成となっている。言い換えれば、外部電極３，４に接続される内部電極８ａ，８ｂと外部電極３，４に接続される内部電極８ｃ，８ｆとが誘電体層７を介して同極性となるように配置されている。
【００８１】
具体的には、外部電極３に接続される複合層９ａの内部電極８ａと、外部電極４に接続される複合層９ｃの内部電極８ｃとは、いずれも−極性となる。また、外部電極３に接続される複合層９ｂの内部電極８ｂと、外部電極４に接続される複合層９ｆの内部電極８ｆとは、いずれも＋極性となる。
【００８２】
上述の構成を有する積層コンデンサ１Ｃは、静電容量部４０Ａ，４０ＢとＥＳＲ制御部５０Ａ〜５０Ｃとの境界において、内部電極８ａと内部電極８ｃ、内部電極８ｂと内部電極８ｆとが対向して配置されている。そのため、積層コンデンサ１Ｃは、基板１００に実装されて電流が流れた際、静電容量部４０Ａ，４０ＢとＥＳＲ制御部５０Ａ〜５０Ｃとの境界、つまり複合層９ｃと複合層９ａ、複合層９ｂと複合層９ｆとの間において、高周波電流が通過しない構成となっている。
【００８３】
以上説明したように、積層コンデンサ１Ｃは、第１実施形態と同様に、静電容量部４０Ａ，４０ＢとＥＳＲ制御部５０Ａ〜５０Ｃとの境界において、外部電極３，４に接続される静電容量部４０Ａ，４０Ｂの内部電極８ａ，８ｂと、外部電極３，４に接続されるＥＳＲ制御部５０Ａ〜５０Ｃの内部電極８ｃ，８ｆとが誘電体層７を介して異なる極性となるように配置されていない。つまり、同極性（−極性）となる内部電極８ａと内部電極８ｃとが誘電体層７を介して対向して配置されていると共に、同極性（＋極性）となる内部電極８ｂと内部電極８ｆとが誘電体層７を介して対向して配置されている。
【００８４】
これにより、静電容量部４０Ａ，４０ＢとＥＳＲ制御部５０Ａ〜５０Ｃとの境界において高周波電流が通過しないため、静電容量部４０Ａ，４０ＢとＥＳＲ制御部５０Ａ〜５０Ｃとのコンデンサ成分を結合させずに分離させることができると共に、ＥＳＲ成分も分離させることができる。このように、積層コンデンサ１Ｃでは、静電容量部４０Ａ，４０ＢにおけるＥＳＲ成分（低ＥＳＲ）とＥＳＲ制御部５０Ａ〜５０ＣにおけるＥＳＲ成分（高ＥＳＲ）とに分離されるため、高周波帯域側、若しくは低周波帯域側のＥＳＲを大きくすることが可能となる。したがって、広周波帯域においてＥＳＲを制御することが可能となる。
【００８５】
［第５実施形態］
続いて、第５実施形態について説明する。図９は、第５実施形態に係る積層コンデンサの層構成を示す図である。図９に示すように、積層コンデンサ１Ｄは、静電容量部６０を構成する複合層９ｇ，９ｈの構成が第１実施形態と異なっており、外部電極３，４、接続導体５，６及び複合層９ｃ〜９ｆの構成は第１実施形態と同様である。
【００８６】
図９に示すように、積層コンデンサ１Ｄの積層体２Ｄでは、積層方向から見て静電容量部６０を挟むようにＥＳＲ制御部１１Ａ，１１Ｂが一対配置されている。つまり、積層体２Ｄは、ＥＳＲ制御部１１Ａ、静電容量部６０、ＥＳＲ制御部１１Ｂがこの順に配置されて構成されている。ＥＳＲ制御部１１Ａ，１１Ｂは、第１実施形態と同様の構成を有している。
【００８７】
静電容量部６０は、異なる２つの内部電極を有する複合層９ｇ，９ｈが交互に複数積層されて構成されている。複合層９ｇは、誘電体層７上に内部電極８ｇが形成されている。内部電極８ｇは、略Ｕ字状（蛇行形状）を呈しており、その一端部は、積層体２Ｄの端面２ａに露出し、外部電極３に接続されている。内部電極８ｇは、−極性となる。
【００８８】
複合層９ｈは、誘電体層７上に内部電極８ｈが形成されている。内部電極８ｈは、略Ｕ字状を呈しており、その一端部は、積層体２Ｄの端面２ｂに露出し、外部電極４に接続されている。内部電極８ｈは、＋極性となる。静電容量部６０は、内部電極８ｇと内部電極８ｈとが誘電体層７を介して異なる極性として対向して配置されている。なお、図９においては、複合層９ｇ及び複合層９ｈをそれぞれ４層しか図示していないが、複合層９ｇ及び複合層９ｈの積層数は、設計に合わせて適宜設定される。
【００８９】
積層体２Ｄでは、静電容量部６０とＥＳＲ制御部１１Ａ，１１Ｂとの境界において、複合層９ｄの内部電極８ｄと複合層９ｇの内部電極８ｇとが対向して配置されていると共に、複合層９ｈの内部電極８ｈと複合層９ｅの内部電極８ｅとが対向して配置されている。具体的には、接続導体５を介して＋極性となる複合層９ｄの内部電極８ｄと、外部電極３に接続されて−極性となる複合層９ｇの内部電極８ｇとが誘電体層７を介して対向して配置されている。また、外部電極４に接続されて＋極性となる複合層９ｈの内部電極８ｈと、接続導体６を介して−極性となる複合層９ｅの内部電極８ｅとが誘電体層７を介して対向して配置されている。すなわち、積層体２Ｄでは、静電容量部６０とＥＳＲ制御部１１Ａ，１１Ｂとの境界において、外部電極３に接続される内部電極８ｃ，８ｇと外部電極３，４に接続される内部電極８ｆ，８ｈとが誘電体層７を介して異なる極性となるように配置されていない構成となっている。
【００９０】
上述の構成を有する積層コンデンサ１Ｄは、基板１００に実装されると、静電容量部６０における複合層９ｇ，９ｈの内部電極８ｇ，８ｈにおいて、流れる電流の方向（図９中の矢印方向）が同じになる。そのため、誘電体層７を介して対向する内部電極８ｇ，８ｈの相互インダクタンスによりＥＳＬを上げることができる。図１０は、図９に示す積層コンデンサのインピーダンス特性を示す図である。図１０（ａ）では、実線がＥＳＲ制御部１１Ａ，１１Ｂのインピーダンス特性を示しており、一点鎖線が静電容量部６０におけるＥＳＬが大きいときのインピーダンス特性（自己共振周波数が低周波側）を示しており、点線が静電容量部６０におけるＥＳＬが小さいときのインピーダンス特性（自己共振周波数が高周波側）を示している。図１０（ｂ）では、静電容量部６０のＥＳＬが小さいときの総合インピーダンス（静電容量部６０のインピーダンスとＥＳＲ制御部１１Ａ，１１Ｂのインピーダンスとの合成インピーダンス）を示している。図１０（ｃ）では、静電容量部６０のＥＳＬが大きいときの総合インピーダンスを示している。
【００９１】
静電容量部６０の内部電極８ｇ，８ｈを図９に示すように略Ｕ字状（矩形状の電極にスリットを入れた形状）とした場合には、静電容量部６０のＥＳＬが大きくなり、図１０（ａ）に示すように、静電容量部６０による共振周波数が低周波側にシフトする。そのため、静電容量部６０の静電容量Ｃ０がＥＳＲ制御部１１Ａ，１１Ｂの静電容量Ｃ１に比べて十分に大きい場合には（Ｃ０≫Ｃ１）、図１０（ｃ）に示すように、広帯域に渡って総合インピーダンスをフラットできると共に小さくできる。
【００９２】
以上説明したように、積層コンデンサ１Ｄは、第１実施形態と同様に、静電容量部６０とＥＳＲ制御部１１Ａ，１１Ｂとの境界において、外部電極３，４に接続される静電容量部６０の内部電極８ｇ，８ｈと、外部電極３，４に接続されるＥＳＲ制御部１１Ａ，１１Ｂの内部電極８ｃ，８ｆとが誘電体層７を介して異なる極性となるように配置されていない。これにより、静電容量部６０とＥＳＲ制御部１１Ａ，１１Ｂとの境界において高周波電流が通過せず、静電容量部６０とＥＳＲ制御部１１Ａ，１１Ｂとのコンデンサ成分を結合させずに分離させることができると共に、ＥＳＲ成分も分離させることができる。このように、積層コンデンサ１Ｄでは、静電容量部６０におけるＥＳＲ成分（低ＥＳＲ）とＥＳＲ制御部１１Ａ，１１ＢにおけるＥＳＲ成分（高ＥＳＲ）とに分離されるため、高周波帯域側、若しくは低周波帯域側のＥＳＲを大きくすることが可能となる。したがって、広周波帯域においてＥＳＲを制御することが可能となる。
【００９３】
また、内部電極は、図１１に示すような構成であってもよい。図１１に示すように、複合層９ｉの内部電極８ｉは、略Ｓ字状を呈している。内部電極８ｉの一端部は、積層体２の端面２ａに露出しており、外部電極３に接続される。複合層９ｊの内部電極８ｊは、略Ｓ字状を呈している。内部電極８ｊの一端部は、積層体２の端面２ｂに露出しており、外部電極４に接続される。このような構成の場合においても、内部電極８ｇ，８ｈと同様に、対向して配置される複合層９ｉの内部電極８ｉと複合層９ｊの内部電極８ｊとにおいて同じ方向（図１１中の矢印方向）に電流が流れるため、内部電極８ｉ，８ｊの相互インダクタンスによりＥＳＬを上げることができる。
【００９４】
［第６実施形態］
続いて、第６実施形態について説明する。図１２は、第６実施形態に係る積層コンデンサの層構成を示す図である。図１２に示すように、積層コンデンサ１Ｅは、ＥＳＲ制御層７０Ａ，７０Ｂを構成する複合層９ｋ，９ｌ，９ｍの構成が第１実施形態と異なっており、外部電極３，４、接続導体５，６及び複合層９ａ，９ｂ，９ｄ，９ｅの構成は第１実施形態と同様である。
【００９５】
図１２に示すように、積層コンデンサ１Ｅの積層体２Ｅは、ＥＳＲ制御部７０Ａ、静電容量部１０、ＥＳＲ制御部７０Ｂがこの順に配置されて構成されている。静電容量部１０は、複合層９ａ，９ｂが交互に複数積層されて構成されており、内部電極８ａと内部電極８ｂとが誘電体層７を介して異なる極性として対向して配置されている。なお、図１２においては、複合層９ａ及び複合層９ｂをそれぞれ４層しか図示していないが、複合層９ａ及び複合層９ｂの積層数は、設計に合わせて適宜設定される。
【００９６】
ＥＳＲ制御部７０Ａは、異なる３つの内部電極を有する複合層９ｅ，９ｋ，９ｌが積層されて構成されている。複合層９ｋは、誘電体層７上に内部電極（第４の内部電極）８ｋが形成されている。内部電極８ｋは、中央部分に形成された矩形状の主電極部８ｋＡと、主電極部８ｋＡの一辺から引き出された帯状の引出導体８ｋＢとを有している。主電極部８ｋＡの一端部は、積層体２の端面２ｂに露出し、外部電極４に接続されている。引出導体８ｋＢの端部は、積層体２の側面２ｄに露出し、接続導体６に接続されている。内部電極８ｋは、＋極性となる。
【００９７】
複合層９ｌは、誘電体層７上に内部電極（第３の内部電極）８ｌが形成されている。内部電極８ｌは、矩形状を呈しており、その一端部は、積層体２の端面２ａに露出し、外部電極３に接続されている。内部電極８ｌは、−極性となる。
【００９８】
ＥＳＲ制御部７０Ｂは、異なる３つの内部電極を有する複合層９ｄ，９ｌ，９ｍが積層されて構成されている。複合層９ｍは、誘電体層７上に内部電極（第４の内部電極）８ｍが形成されている。内部電極８ｍは、中央部分に形成された矩形状の主電極部８ｍＡと、主電極部８ｍＡの一辺から引き出された帯状の引出導体８ｍＢとを有している。主電極部８ｍＡの一端部は、積層体２の端面２ｂに露出し、外部電極４に接続されている。引出導体８ｍＢの端部は、積層体２の側面２ｃに露出し、接続導体５に接続されている。内部電極８ｍは、＋極性となる。
【００９９】
ＥＳＲ制御部７０Ａは、内部電極８ｋが形成された複合層９ｋ、内部電極８ｅが形成された複合層９ｅ、内部電極８ｌが形成された複合層９ｌ、内部電極８ｅが形成された複合層９ｅ、内部電極８ｌが形成された複合層９ｌがこの順に積層されて構成されている。複合層９ｅの内部電極８ｅは、接続導体６及び内部電極８ｋを介して外部電極４に接続されるため、内部電極８ｋと同じ＋極性となる。
【０１００】
ＥＳＲ制御部７０Ｂは、内部電極８ｍが形成された複合層９ｍ、内部電極８ｄが形成された複合層９ｄ、内部電極８ｌが形成された複合層９ｌ、内部電極８ｄが形成された複合層９ｄ、内部電極８ｌが形成された複合層９ｌがこの順に積層されて構成されている。複合層９ｄの内部電極８ｄは、接続導体５及び内部電極８ｍを介して外部電極４に接続されるため、内部電極８ｍと同じ＋極性となる。
【０１０１】
積層体２Ｅでは、静電容量部１０とＥＳＲ制御部７０Ａ，７０Ｂとの境界において、複合層９ｌの内部電極８ｌと複合層９ａの内部電極８ａとが対向して配置されていると共に、複合層９ｂの内部電極８ｂと複合層９ｍの内部電極８ｍとが対向して配置されている。具体的には、外部電極３に接続されて−極性となる複合層９ｌの内部電極８ｌと、外部電極３に接続されて−極性となる複合層９ａの内部電極８ａとが誘電体層７を介して対向して配置されている。また、外部電極４に接続されて＋極性となる複合層９ｂの内部電極８ｂと、外部電極４に接続されて＋極性となる複合層９ｍの内部電極８ｍとが誘電体層７を介して対向して配置されている。すなわち、積層体２Ｅでは、静電容量部１０とＥＳＲ制御部７０Ａ，７０Ｂとの境界において、外部電極３に接続される内部電極８ａ，８ｌと外部電極４に接続される内部電極８ｂ，８ｍとが誘電体層７を介して同じ極性となるように配置されている。
【０１０２】
以上説明したように、積層コンデンサ１Ｅは、第１実施形態と同様に、静電容量部１０とＥＳＲ制御部７０Ａ，７０Ｂとの境界において、外部電極３，４に接続される静電容量部１０の内部電極８ａ，８ｂと、外部電極３，４に接続されるＥＳＲ制御部７０Ａ，７０Ｂの内部電極８ｋ，８ｌ，８ｍとが誘電体層７を介して異なる極性となるように配置されていない。つまり、同極性（−極性）となる内部電極８ａと内部電極８ｌとが誘電体層７を介して対向して配置されていると共に、同極性（＋極性）となる内部電極８ｂと内部電極８ｍとが誘電体層７を介して対向して配置されている。
【０１０３】
これにより、静電容量部１０とＥＳＲ制御部７０Ａ，７０Ｂとの境界において高周波電流が通過せず、静電容量部１０とＥＳＲ制御部７０Ａ，７０Ｂとのコンデンサ成分を結合させずに分離させることができると共に、ＥＳＲ成分も分離させることができる。このように、積層コンデンサ１Ｅでは、静電容量部１０におけるＥＳＲ成分（低ＥＳＲ）とＥＳＲ制御部７０Ａ，７０ＢにおけるＥＳＲ成分（高ＥＳＲ）とに分離されるため、高周波帯域側、若しくは低周波帯域側のＥＳＲを大きくすることが可能となる。したがって、広周波帯域においてＥＳＲを制御することが可能となる。
【０１０４】
［第７実施形態］
続いて、第７実施形態について説明する。図１３は、第７実施形態に係る積層コンデンサの層構成を示す図である。図１３に示すように、積層コンデンサ１Ｆは、ＥＳＲ制御層８０Ａ，８０Ｂを構成する複合層９ｎ，９ｏの構成が第６実施形態と異なっており、外部電極３，４、接続導体５，６及び複合層９ａ，９ｂ，９ｌの構成は第６実施形態と同様である。
【０１０５】
図１３に示すように、積層コンデンサ１Ｆの積層体２Ｆは、ＥＳＲ制御部８０Ａ、静電容量部１０、ＥＳＲ制御部８０Ｂがこの順に配置されて構成されている。静電容量部１０は、複合層９ａ，９ｂが交互に複数積層されて構成されており、内部電極８ａと内部電極８ｂとが誘電体層７を介して異なる極性として対向して配置されている。なお、図１３においては、複合層９ａ及び複合層９ｂをそれぞれ４層しか図示していないが、複合層９ａ及び複合層９ｂの積層数は、設計に合わせて適宜設定される。
【０１０６】
ＥＳＲ制御部８０Ａ，８０Ｂは、異なる３つの内部電極を有する複合層９ｌ，９ｎ，９ｏが積層されて構成されている。複合層９ｎは、誘電体層７上に内部電極（第４の内部電極）８ｎが形成されている。内部電極８ｎは、中央部分に形成された矩形状の主電極部８ｎＡと、主電極部８ｎＡの一辺から引き出された帯状の引出導体８ｎＢと、主電極部８ｎＡの一辺から引き出された帯状の引出導体８ｎＣとを有している。主電極部８ｎＡの一端部は、積層体２の端面２ｂに露出し、外部電極４に接続されている。引出導体８ｎＢの端部は、積層体２の側面２ｃに露出し、接続導体５に接続されている。引出導体８ｎＣの端部は、引出導体８ｎＢとは反対に積層体２の側面２ｄに露出し、接続導体６に接続されている。内部電極８ｎは、＋極性となる。
【０１０７】
複合層９ｏは、誘電体層７上に内部電極（第５の内部電極）８ｏが形成されている。内部電極８ｏは、中央部分に形成された矩形状の主電極部８ｏＡと、主電極部８ｏＡの一辺から引き出された帯状の引出導体８ｏＢと、主電極部８ｎＡの一辺から引き出された帯状の引出導体８ｏＣとを有している。引出導体８ｏＢの端部は、積層体２の側面２ｃに露出し、接続導体５に接続されている。引出導体８ｏＣの端部は、引出導体８ｏＢとは反対に積層体２の側面２ｄに露出し、接続導体６に接続されている。内部電極８ｏは、＋極性となる。
【０１０８】
積層体２Ｆでは、静電容量部１０とＥＳＲ制御部８０Ａ，８０Ｂとの境界において、複合層９ｌの内部電極８ｌと複合層９ａの内部電極８ａとが対向して配置されていると共に、複合層９ｂの内部電極８ｂと複合層９ｎの内部電極８ｎとが対向して配置されている。具体的には、外部電極３に接続されて−極性となる複合層９ｌの内部電極８ｌと、外部電極３に接続されて−極性となる複合層９ａの内部電極８ａとが誘電体層７を介して対向して配置されている。また、外部電極４に接続されて＋極性となる複合層９ｂの内部電極８ｂと、外部電極４に接続されて＋極性となる複合層９ｎの内部電極８ｎとが誘電体層７を介して対向して配置されている。すなわち、積層体２Ｆでは、静電容量部１０とＥＳＲ制御部７０Ａ，７０Ｂとの境界において、外部電極３に接続される内部電極８ａ，８ｌと外部電極４に接続される内部電極８ｂ，８ｎとが誘電体層７を介して同じ極性となるように配置されている。
【０１０９】
以上説明したように、積層コンデンサ１Ｆは、第１実施形態と同様に、静電容量部１０とＥＳＲ制御部８０Ａ，８０Ｂとの境界において、外部電極３，４に接続される静電容量部１０の内部電極８ａ，８ｂと、外部電極３，４に接続されるＥＳＲ制御部８０Ａ，８０Ｂの内部電極８ｌ，８ｎとが誘電体層７を介して異なる極性となるように配置されていない。つまり、同極性（−極性）となる内部電極８ａと内部電極８ｌとが誘電体層７を介して対向して配置されていると共に、同極性（＋極性）となる内部電極８ｂと内部電極８ｎとが誘電体層７を介して対向して配置されている。
【０１１０】
これにより、静電容量部１０とＥＳＲ制御部８０Ａ，８０Ｂとの境界において高周波電流が通過せず、静電容量部１０とＥＳＲ制御部８０Ａ，８０Ｂとのコンデンサ成分を結合させずに分離させることができると共に、ＥＳＲ成分も分離させることができる。このように、積層コンデンサ１Ｆでは、静電容量部１０におけるＥＳＲ成分（低ＥＳＲ）とＥＳＲ制御部８０Ａ，８０ＢにおけるＥＳＲ成分（高ＥＳＲ）とに分離されるため、高周波帯域側、若しくは低周波帯域側のＥＳＲを大きくすることが可能となる。したがって、広周波帯域においてＥＳＲを制御することが可能となる。
【０１１１】
本発明は、上記実施形態に限定されるものではない。例えば、第１及び第２実施形態においては、接続導体の形状が図１４に示すようなものであってもよい。具体的には、図１４に示すように、積層コンデンサ１Ｇの積層体２Ｇには、接続導体５ａ，５ｂ，６ａ，６ｂが形成されている。接続導体５ａ，５ｂ，６ａ，６ｂは、複合層９ｃ〜９ｆの内部電極８ｃ〜８ｆにおける引出導体８ｃＢ〜８ｆＢに対応する位置において、積層方向に２箇所に離間して形成されている。このような構成により、図１５（ａ）に示す積層コンデンサ１Ｇにおいては、静電容量部１０、ＥＳＲ制御部１１Ａ、ＥＳＲ制御部１１Ｂのそれぞれのコンデンサ成分（Ｃ０，Ｃ１，Ｃ２）が分離する。そのため、積層コンデンサ１Ｇでは、図１５（ｂ）に示すような回路となる。
【０１１２】
また、第４実施形態においては、接続導体の形状が図１６に示すようなものであってもよい。具体的には、図１６に示すように、積層コンデンサ１Ｈの積層体２Ｈには、接続導体５ｃ〜５ｅ，６ｃ〜６ｅが形成されている。接続導体５ｃ〜５ｅ，６ｃ〜６ｅは、複合層９ｃ〜９ｆの内部電極８ｃ〜８ｆにおける引出導体８ｃＢ〜８ｆＢに対応する位置において、積層方向に３箇所に離間して形成されている。このような構成により、図１７（ａ）に示す積層コンデンサ１Ｈにおいては、静電容量部４０Ａ，４０Ｂ、ＥＳＲ制御部５０Ａ、ＥＳＲ制御部５０Ｂ、ＥＳＲ制御部５０Ｃのそれぞれのコンデンサ成分（Ｃ０，Ｃ１，Ｃ２，Ｃ３）が分離する。そのため、積層コンデンサ１Ｈでは、図１７（ｂ）に示すような回路となる。
【０１１３】
また、内部電極８ｇ〜８ｊの形状は、第１〜４，６，７実施形態の静電容量部を構成する内部電極に適用してもよい。
【０１１４】
また、上記実施形態では、外部電極３が−極性となり、外部電極４が＋極性となる構成としているが、極性は逆であってもよい。
【０１１５】
また、内部電極８ａ〜８ｆの形状は、上記形状に限定されない。また、内部電極の形状に応じて、外部電極３，４が積層体の側面２ｃ，２ｄに形成されてもよい。また、ＥＳＲ制御部の層構成は、上記実施形態に記載の構成に限定されるものではなく、コンデンサの設計に応じて複合層の積層数等を適宜変更することができる。
【符号の説明】
【０１１６】
１，１Ａ〜１Ｈ…積層コンデンサ、２，２Ａ〜２Ｆ…積層体、３，４…外部電極、５，６…接続導体、８ａ，８ｇ，８ｉ…内部電極（第１の内部電極）、８ｂ，８ｈ，８ｊ…内部電極（第２の内部電極）、８ｃ，８ｌ…内部電極（第３の内部電極）、８ｄ…内部電極（第６の内部電極）、８ｅ…内部電極（第５の内部電極）、８ｆ，８ｋ，８ｍ，８ｎ…内部電極（第４の内部電極）、１０，１０Ａ，１０Ｂ，４０Ａ，４０Ｂ，６０…静電容量部、１１Ａ，１１Ｂ，２０Ａ，２０Ｂ，３０，５０Ａ〜５０Ｃ，７０Ａ，７０Ｂ，８０Ａ，８０Ｂ…ＥＳＲ制御部、Ｃ０…静電容量部の静電容量、Ｃ１…ＥＳＲ制御部の静電容量、Ｗ０…静電容量部とＥＳＲ制御部との間の間隔、Ｗ１…静電容量部及びＥＳＲ制御部における内部電極間の間隔。
【図１】
0005218545.tif 000002
【図２】
0005218545.tif 000003
【図３】
0005218545.tif 000004
【図４】
0005218545.tif 000005
【図５】
0005218545.tif 000006
【図６】
0005218545.tif 000007
【図７】
0005218545.tif 000008
【図８】
0005218545.tif 000009
【図９】
0005218545.tif 000010
【図１０】
0005218545.tif 000011
【図１１】
0005218545.tif 000012
【図１２】
0005218545.tif 000013
【図１３】
0005218545.tif 000014
【図１４】
0005218545.tif 000015
【図１５】
0005218545.tif 000016
【図１６】
0005218545.tif 000017
【図１７】
0005218545.tif 000018